(57)【要約】【課題】ＧＰＳに依らずして、所定の利用環境において最適なチャンネルリストが自動的に選択されるモバイル放送受信装置が求められている。【解決手段】複数チャンネルの放送波信号を出力するコネクタ装置に対して接続するための第一接続部と、前記第一接続部に前記コネクタ装置が接続されているか否かを検出する接続検出部と、前記検出に応じて選択すべきチャンネルリストを保持する第一保持部と、接続検出部による検出結果に応じて第一保持部からチャンネルリストを選択する第一選択部と、選択されたチャンネルリストを用いて前記複数チャンネルの放送波信号の一を選局させる第一選局部と、を有するモバイル放送受信装置などを提供する。【選択図】図２
2012089933.tif 000002
【特許請求の範囲】
【請求項１】
複数チャンネルの放送波信号を出力するコネクタ装置に対して接続するための第一接続部と、
前記第一接続部に前記コネクタ装置が接続されているか否かを検出する接続検出部と、
前記検出に応じて選択すべきチャンネルリストを保持する第一保持部と、
接続検出部による検出結果に応じて第一保持部からチャンネルリストを選択する第一選択部と、
選択されたチャンネルリストを用いて前記複数チャンネルの放送波信号の一を選局させる第一選局部と、
を有するモバイル放送受信装置。
【請求項２】
コネクタ装置とモバイル放送受信装置とからなる放送受信システムであって、
前記コネクタ装置は、
複数チャンネルの放送波信号と、コネクタ識別子と、を出力する第二出力部を有し、
前記モバイル放送受信装置は、
前記コネクタ装置の出力部に対して接続するための第二接続部と、
前記コネクタ装置の出力部からコネクタ識別子を取得するコネクタ識別子取得部と、
コネクタ識別子に応じて選択すべきチャンネルリストを保持する第二保持部と、
取得したコネクタ識別子に応じて第二保持部からチャンネルリストを選択する第二選択部と、
選択されたチャンネルリストを用いて前記複数のチャンネルの放送波信号の一を選局させる第二選局部と、
を有する放送受信システム。
【請求項３】
請求項２に記載のモバイル放送受信装置。
【請求項４】
コネクタ装置とモバイル放送受信装置とからなる放送受信システムであって、
前記コネクタ装置は、
複数チャンネルの放送波信号とこの複数チャンネルの放送波信号のチャンネルリストと、を出力する第三出力部と、
前記出力するチャンネルリストを保持するチャンネルリスト保持部と、を有し、
前記モバイル放送受信装置は、
前記コネクタ装置の第三出力部に対して接続するための第三接続部と、
前記コネクタ装置の第三出力部からチャンネルリストを取得するリスト取得部と、
取得したチャンネルリストを用いて前記複数チャンネルの放送波信号の一を選局させる第三選局部と、
を有する放送受信システム。
【請求項５】
請求項４に記載のモバイル放送受信装置。
【請求項６】
請求項４に記載のコネクタ装置。
【発明の詳細な説明】
【技術分野】
【０００１】
本発明は、屋外アンテナやＣＡＴＶなどとの接続に応じて最適なチャンネルリストを選択するモバイル放送受信装置及び放送受信システムに関する。
【背景技術】
【０００２】
モバイル放送受信装置は、様々な環境で利用することが可能である。例えば、勤務地や赴任地などの出先においては、モバイル放送受信装置に備えられるアンテナにより放送波を受信して視聴することができる。また、自宅などにおいては、アンテナが備えられているクレードルや、家屋に設置されている外部アンテナに接続して、それらのアンテナにより受信して視聴することもできる。さらには、ＣＡＴＶ（ケーブルテレビ）などの放送受信機に接続して視聴することもできる。
【０００３】
ここで、出先の放送エリアと自宅における放送エリアとが異なる場合には、出先と自宅とを行き来するたびに受信可能なチャンネルのリストを設定しなければならない。そこで、主に車両に搭載される放送受信装置において、視聴場所が移動により変化する場合に、ＧＰＳ（Ｇｌｏｂａｌ  Ｐｏｓｉｔｉｏｎｉｎｇ  Ｓｙｓｔｅｍ）により得られる位置情報を用いて、チャンネルリストの選択を自動的に行う技術が提案されている。
【先行技術文献】
【特許文献】
【０００４】
【特許文献１】特開２０１０−１０３８９８
【発明の概要】
【発明が解決しようとする課題】
【０００５】
しかしながら、モバイル放送受信装置を屋内で使用する場合などでは、ＧＰＳの電波を受信できない場合があり、必ずしも最適なチャンネルリストの選択を行うことはできない。また、上述した自宅と勤務地などのように視聴場所がある程度限定されていて、車載して使用する程には受信地域が頻繁に変わらない場合などでは、ＧＰＳ機能を備えることは過剰であり無用な高コストをユーザに強いることになってしまう。そこで、ＧＰＳに依らずして、所定の利用環境において最適なチャンネルリストが自動的に選択されるモバイル放送受信装置が求められている。
【課題を解決するための手段】
【０００６】
上記課題を解決するための手段として、以下の発明などを提供する。すなわち、第一の発明として、複数チャンネルの放送波信号を出力するコネクタ装置に対して接続するための第一接続部と、前記第一接続部に前記コネクタ装置が接続されているかを検出する接続検出部と、前記検出に応じて選択すべきチャンネルリストを保持する第一保持部と、接続検出部による検出結果に応じて第一保持部からチャンネルリストを選択する第一選択部と、選択されたチャンネルリストを用いて前記複数チャンネルの放送波信号の一を選局させる第一選局部と、を有するモバイル放送受信装置を提供する。
【０００７】
第二の発明として、コネクタ装置とモバイル放送受信装置とからなる放送受信システムであって、前記コネクタ装置は、複数チャンネルの放送波信号と、コネクタ識別子と、を出力する第二出力部を有し、前記モバイル放送受信装置は、前記コネクタ装置の出力部に対して接続するための第二接続部と、前記コネクタ装置の出力部からコネクタ識別子を取得するコネクタ識別子取得部と、コネクタ識別子に応じて選択すべきチャンネルリストを保持する第二保持部と、取得したコネクタ識別子に応じて第二保持部からチャンネルリストを選択する第二選択部と、選択されたチャンネルリストを用いて前記複数チャンネルの放送波信号の一を選局させる第二選局部と、を有する放送受信システムを提供する。
【０００８】
第三の発明として、第二の発明に記載のモバイル放送受信装置を提供する。
【０００９】
第四の発明として、コネクタ装置とモバイル放送受信装置とからなる放送受信システムであって、前記コネクタ装置は、複数チャンネルの放送波信号とこの複数チャンネルの放送波信号のチャンネルリストとを出力する第三出力部と、前記出力するチャンネルリストを保持するチャンネルリスト保持部と、を有し、前記モバイル放送受信装置は、前記コネクタ装置の第三出力部に対して接続するための第三接続部と、前記コネクタ装置の第三出力部からチャンネルリストを取得するリスト取得部と、取得したチャンネルリストを用いて前記複数チャンネルの放送波信号の一を選局させる第三選局部と、を有する放送受信システムを提供する。
【００１０】
第五の発明として、第四の発明に記載のモバイル放送受信装置を提供する。
【００１１】
第六の発明として、第四の発明に記載のコネクタ装置を提供する。
【発明の効果】
【００１２】
本発明により、ＧＰＳなどを用いないで所定の利用環境において最適なチャンネルリストが自動的に選択されるモバイル放送受信装置を提供することができる。
【図面の簡単な説明】
【００１３】
【図１】実施形態１に係る放送受信装置の概念図
【図２】実施形態１に係るモバイル放送受信装置の機能ブロックの一例図
【図３（ａ）】実施形態１に係るチャンネルリストの一例を示す概念図
【図３（ｂ）】実施形態１に係るチャンネルリストの他の例を示す概念図
【図３（ｃ）】実施形態１に係るチャンネルリストの他の例を示す概念図
【図４】実施形態１に係るモバイル放送受信装置のハードウェア構成の一例を示す図
【図５】実施形態１に係るモバイル放送受信装置のハードウェア構成の他の例を示す図
【図６】実施形態１に係るモバイル放送受信装置の動作処理の流れの一例を示すフロー図
【図７】実施形態２に係る放送受信システムの機能ブロックの一例図
【図８】実施形態２に係る第二保持部の概念図
【図９】実施形態２に係るモバイル放送受信装置の動作処理の流れの一例を示すフロー図
【図１０】実施形態３に係る放送受信システムの機能ブロックの一例図
【図１１】実施形態３に係るモバイル放送受信装置の動作処理の流れの一例を示すフロー図
【発明を実施するための形態】
【００１４】
以下、本発明の実施の形態について説明する。なお、本発明は、これらの実施形態に何ら限定されるべきものではなく、その要旨を逸脱しない範囲において、種々なる態様で実施し得る。
【００１５】
実施形態１は、主に請求項１について説明する。実施形態２は、主に請求項２、３について説明する。実施形態３は主に請求項４、５、６について説明する。
<実施形態１>
<実施形態１  概要>
【００１６】
本実施形態の概要を、図１を用いて説明する。図１は、本実施形態のモバイル放送受信装置の概念図である。モバイル放送受信装置（０１０１）は、例えば、自宅においてクレードル（０１０２）に接続することにより、クレードルに備わるアンテナ（０１０３）やクレードルに接続されている外部アンテナ（０１０４）を用いてチャンネルスキャンした結果及びＣＡＴＶ（０１０５）における受信可能チャンネルに基づく「チャンネルリスト」（０１０６）が自動的に選択される。このように、クレードルなどの機器に応じたチャンネルリストを保持しておくことにより、機器との接続をトリガとして最適なチャンネルリストを自動的に選択することができ、利便性を高めることができる。
<実施形態１  構成>
【００１７】
本実施形態に係るモバイル放送受信装置の機能ブロック図の一例を図２に示す。「モバイル放送受信装置」（０２００）は、「第一接続部」（０２０１）と、「接続検出部」（０２０２）と、「第一保持部」（０２０３）と、「第一選択部」（０２０４）と、「第一選局部」（０２０５）とを有する。
【００１８】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００１９】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２０】
「モバイル放送受信装置」（０２００）は、携帯型の放送受信装置であり、自身に備わるアンテナなどにより放送を受信することのできる装置をいう。また、インターネットを通じてコンテンツを受信したり、ケーブルを通じてＣＡＴＶを受信することができるものであってもよい。Ｂｌｕｅｔｏｏｔｈ（登録商標）などによりコンテンツを受信できるものであってもよい。モバイル放送受信装置は、例えば、携帯電話、ＰＤＡ、カーナビゲーション装置、ノートＰＣ、電子ブックリーダなどが挙げられる。
【００２１】
「第一接続部」（０２０１）は、複数チャンネルの放送波信号を出力するコネクタ装置に対して接続するための機能を有する。「複数チャンネルの放送波信号」とは、例えば、「１ＣＨ」、「２ＣＨ」、「４ＣＨ」などのように選局の対象となるチャンネルが複数存在する放送波信号をいう。これらの放送波信号の媒体としては、例えば、地上デジタル放送、ＢＳ放送、ＣＳ放送、次世代マルチメディア放送（携帯端末向けマルチメディア放送）、デジタルラジオ放送や、ＣＡＴＶなどがある。
【００２２】
「コネクタ装置」は、上記複数チャンネルの放送波信号を出力する機能を有するものであり、例えば、アンテナを備えるクレードルや、放送受信装置等の機器と屋外アンテナ等を接続するために室内の壁面等に設けられる接続コネクタなどが該当する。また、アンテナだけでなくＣＡＴＶにより配信される信号を出力することのできるクレードルなどであってもよい。すなわち、モバイル放送受信装置が自ら備えるアンテナ以外であって、モバイル放送受信装置に接続されることにより放送波信号をモバイル放送受信装置に対して出力し得るものがコネクタ装置となり得る。
【００２３】
第一接続部は、例えば、アンテナとの接続の場合のＲＦ端子や、ＣＡＴＶとの接続の場合の光ケーブルや同軸ケーブルの接続端子や、インターネットとの接続の場合のＬＡＮ端子など、コネクタ装置から出力される放送波信号の入力を受付けるのに適した端子や処理回路により実現される。また、第一接続部におけるコネクタ装置との接続は、一の接続に限られるものではなく、複数の入力を受付けるように構成されていてもよい。
【００２４】
「接続検出部」（０２０２）は、第一接続部にコネクタ装置が接続されているかを検出する機能を有する。例えば、入力された信号が予定される所定の周波数の信号であるかを検出したり、または、入力された信号のＳ/Ｎ比が一定値以上であるかを検出することで、第一接続部にコネクタ装置が接続されているかを検出するように構成してもよい。また、このような検出処理を行うプログラムを実行することにより検出してもよい。また、コネクタ装置との接続端子などの通電状態を検出したり、あるいは、端子同士の接触を機械的に検出するように構成してもよい。
【００２５】
「第一保持部」（０２０３）は、前記検出に応じて選択すべきチャンネルリストを保持する機能を有する。「チャンネルリスト」とは、少なくとも、コネクタ装置と接続されている状態で、当該コネクタ装置を介してモバイル放送受信装置で選局することのできるチャンネルの一覧を意味するものである。例えば、家屋に設置されているアンテナと接続した状態で行ったチャンネルスキャンの結果、選局することができるチャンネルの一覧として得られるチャンネルリストが該当する。例えば、上述のアンテナとの接続が検出された場合には、図３（ａ）に示すようなチャンネルリストを、フラッシュメモリなどの所定の記憶領域に保持する。図示したように、当該アンテナで受信して選局することができるチャンネルの一覧として、地上デジタル放送のチャンネルの一覧が保持される。また、ＣＡＴＶや衛星放送をも受信可能なクレードルとの接続に応じて選択すべきチャンネルリストの例としては、図３（ｂ）に示すチャンネルリストがある。図示したように、地上デジタル放送やＣＡＴＶといったメディア毎のチャンネルリストを一組として保持してもよい。
【００２６】
モバイル放送受信装置は、コネクタ装置が接続されていないとの検出結果である場合に応じたチャンネルリストを生成あるいは保持するように構成してもよい。例えば、モバイル放送受信装置が自身に備わるアンテナにより実行したチャンネルスキャンに基づいたチャンネルリストを保持していてもよい。自身のアンテナによるチャンネルリストは、図３（ｃ）に示すように、第一保持部にコネクタ装置接続時のチャンネルリスト（０３０１）とともに非接続時のチャンネルリスト（０３０２）として保持してもよいし、また、第一保持部とは別に所定の記憶領域に保持していてもよい。また、モバイル放送受信装置の出荷時に予め設定されたチャンネルリストや、ユーザによる初期設定時などにおいて設定されたチャンネルリストを保持するようにしてもよい。また、このようなチャンネルリストが保持されていない場合には、チャンネルスキャンを実行してチャンネルリストを取得し、あるいは、取得したチャンネルリストを保持するようにしてもよい。
【００２７】
「第一選択部」（０２０４）は、接続検出部による検出結果に応じて第一保持部からチャンネルリストを選択する機能を有する。例えば、コネクタ装置が接続されているという検出結果の場合には、第一保持部に保持されている「コネクタ接続リスト」を選択するよう構成される。
【００２８】
モバイル放送受信装置は、接続検出部による検出結果が、コネクタ装置が接続されていないとの検出結果の場合に、上述したコネクタ非接続時のチャンネルリストを選択する機能を有する手段をさらに有していてもよい。また、非接続時のチャンネルリストが保持されていない場合には、自身に備わるアンテナによるチャンネルスキャンを実行し、さらには実行結果に基づきチャンネルリストを生成する手段を有していてもよい。また、モバイル放送受信装置が携帯電話の機能を有する場合には、基地局に応じたチャンネルリストや公衆ＬＡＮの無線局に応じたチャンネルリストを保持してもよい。また、電子乗車カードの機能を有する場合には、駅の位置が含まれるエリアに対応するチャンネルリストを保持しておき、降車した駅のエリアと対応するチャンネルリストを選択するように構成してもよい。
【００２９】
「第一選局部」（０２０５）は、選択されたチャンネルリストを用いて前記複数チャンネルの放送波信号の一を選局させる機能を有する。例えば、選択されたチャンネルリストをタッチパネルに表示するなどして、ユーザの選局操作を受付けるようにチャンネルリストを設定する。あるいは、選局キーと受信する周波数とを関連付けるなどして、チャンネルリストを設定して各チャンネルをユーザが選択し得るよう構成される。なお、上述したコネクタ装置非接続時チャンネルなどを記憶する領域を第一選局部が有していてもよい。
【００３０】
本実施形態におけるモバイル放送受信装置は、コネクタ装置との接続に応じて選択されるチャンネルリストを用いて受信するためのアプリケーションを起動させるための手段を有していてもよい。例えば、コネクタ装置としてクレードルや外部アンテナとの接続が検出された場合に、携帯端末向けマルチメディア放送の放送規格であるＩＳＤＢ−Ｔｍｍによる放送を受信するためのアプリケーションを起動させ、また、コネクタ装置との接続が検出されない場合には、ワンセグ放送を受信するためのアプリケーションを起動させるように構成してもよい。このような手段は、第一選局部が有していてもよいし、第一選局部とは別個の手段としてモバイル放送受信装置が有していてもよい。このようにコネクタ装置との接続に応じて、受信するためのアプリケーションが自動的に切替えられる構成を採用することにより、利用者の利便性はさらに向上する。
<実施形態１  ハードウェア構成>
【００３１】
図４は、本実施形態のモバイル放送受信装置の上記機能的構成をハードウェアとして実現した際の構成の一例を表す図である。図４に示すように、本実施形態のモバイル放送受信装置は、「接続検出部」、「第一選択部」、「第一選局部」、などの機能を実現し、また、その他の演算処理を実行する、「ＣＰＵ」（０４０１）、「メインメモリ」（０４０２）を備えている。また、「第一保持部」の機能を実現し、各種演算処理を実行させるためのプログラムや、その処理に用いられる各種のデータなどを格納する「記憶装置」（０４０３）や、「第一接続部」の機能などを実現するための「入出力インターフェイス」（０４１１）を備えている。また、ユーザの操作指示などを受付ける「操作入力インターフェース」（０４１２）、放送波を受信するための「チューナ」（０４０４）を備える。そしてそれらが「バス」（０４１３）などのデータ通信経路によって相互に接続され、情報の送受信や処理が実行される。アンテナなどを備えるチューナにより受信された信号は「復調部」（０４０５）で復調され、「ＴＳ分離部」（０４０６）で映像データと音声データとに分離される。分離されたデータは、「映像復号部」（０４０７）と「音声復号部」（０４０８）とでデコードされ、ディスプレイやタッチパネルなどの「映像表示部」（０４０９）やスピーカなどの「音声出力部」（０４１０）により映像や音声として出力される。まず、コネクタ装置接続検出プログラムを実行する。ここで、入出力インターフェイスにコネクタ装置として外部アンテナが接続されると、コネクタが機械的や電気的に接続を検出する。接続が検出されるとコネクタ装置接続検出プログラムの実行により検出有の結果に応じた値が所定のデータ領域に格納され、続いてチャンネルリスト選択プログラムが実行され、検出結果に応じたチャンネルリストが記憶装置から読み出される。続いて、選局プログラムを実行し、受信する周波数と選局キー等とを関連付ける。ここでは、機械的や電気的な接続検出によりコネクタ装置の接続を検出したが、外部アンテナが接続されたことにより受信された変調波をチューナにて検出することで、外部アンテナの接続を検出してもよい。
【００３２】
また、図５に示すように、上記の構成と異なる構成により本実施形態のモバイル放送受信装置を実現することもできる（図中の符合は、図４と対応している）。ここでは、コネクタ装置接続検出プログラムの実行により、復調部（０５０５）により復調された放送波信号が検出される。また、操作入力インターフェース（０５１２）と映像出力部（０５０９）とをタッチパネル（０５１４）とする構成とした場合には、選局プログラムの実行により、検出結果に応じたチャンネルリストがタッチパネルに表示される。
<実施形態１  処理の流れ>
【００３３】
図６は、本実施形態に係るモバイル放送受信装置における動作処理の流れの一例を示すフロー図である。まず、モバイル送受信装置の電源がオンとなっているかを判断する（Ｓ０６０１）。電源オンの場合には、第一保持部にチャンネルリストが保持されているか判断する（Ｓ０６０２）。電源オフの場合には、電源オンの判断に戻る。ステップＳ０６０２の判断結果が第一保持部にチャンネルリストが保持されているとの場合には、コネクタ装置が接続されているか検出する（Ｓ０６０３）。コネクタ装置が接続されているとの検出結果の場合には、コネクタ装置接続時のチャンネルリストが選択され設定される。（Ｓ０６０５）。そして、選択し設定されたチャンネルリストにて選局要求されたか判断する（Ｓ０６１１）。ここで、ステップＳ０６０２にて第一保持部にチャンネルリストが保持されていない場合、コネクタ装置が接続されているか検出する（Ｓ０６０４）。コネクタ装置が接続されているとの検出結果の場合には、コネクタ装置からの出力信号にてチャンネルスキャンを実行し（Ｓ０６０６）、スキャン結果によるチャンネルリストを第一保持部に記録する（Ｓ０６０７）。そして、記録されたチャンネルリストを設定し（Ｓ０６０８）、ステップＳ０６１１に進む。また、ステップＳ０６０４において、コネクタ装置が接続されていないとの検出結果の場合には、モバイル放送受信装置に備わるアンテナにてチャンネルスキャンを実行する（Ｓ０６０９）。そして、スキャン結果によるチャンネルリストを設定し（Ｓ０６１０）、ステップＳ０６１１に進む。ステップＳ０６１１において、選局要求されたとの判断結果の場合には、選択されたチャンネルリストにて選局を受付ける（Ｓ０６１２）。視聴終了が要求されたかの判断（Ｓ０６１３）において、視聴終了が要求され、さらに、ステップＳ０６１４において電源がオフされると、電源オンを待機することになる（Ｓ０６０１）。なお、モバイル放送受信装置に備わるアンテナによるチャンネルリストを記録しておき、コネクタ装置非接続時のチャンネルリストとして選択するように処理を行ってもよい。
<実施形態１  効果>
【００３４】
本実施形態により、ＧＰＳなどを用いないで所定の利用環境において最適なチャンネルリストが自動的に選択されるモバイル放送受信装置を提供することができる。
<実施形態２>
<実施形態２  概要>
【００３５】
本実施形態の放送受信システムは、モバイル放送受信装置とコネクタ装置とからなり、モバイル放送受信装置は、接続されるコネクタ装置から出力されるコネクタ識別子に応じたチャンネルリストを選択することで、接続されるコネクタ装置が複数存在する場合であっても、それぞれのコネクタ装置により受信可能なチャンネルリストを用いて選局することができる。
<実施形態２  構成>
【００３６】
本実施形態に係る放送受信システムの機能ブロック図の一例を図７に示す。「放送受信システム」（０７００）は、「コネクタ装置」（０７０１）と「モバイル放送受信装置」（０７０２）とからなる。コネクタ装置は、「第二出力部」（０７０３）を有し、モバイル放送受信装置は、「第二接続部」（０７０４）と、「コネクタ識別子取得部」（０７０５）と、「第二保持部」（０７０６）と、「第二選択部」（０７０７）と、「第二選局部」（０７０８）とを有する。なお、「第二接続部」は実施形態１で説明した「第一接続部」と、「第二選局部」は実施形態１で説明した「第一選局部」と同様の機能を有する。よって、ここでの詳細な説明は省略する。
【００３７】
「コネクタ装置」（０７０１）は、複数チャンネルの放送波信号と、コネクタ識別子と、を出力する第二出力部を有する。コネクタ装置は、例えば、実施形態１の「コネクタ」で説明した、クレードルやＣＡＴＶにより配信される信号を受信して出力することのできる受信機などが挙げられる。「コネクタ識別子」は、コネクタ装置を一意に特定することのできる固有の値などである。コネクタ識別子は、例えば、ＩＣタグなどにより実現してもよい。また、モバイル放送受信装置により、コネクタ識別子をコネクタ装置に付与するように構成してもよい。例えば、コネクタ装置を用いてスキャンした結果によるチャンネルリストからハッシュ値を算出しコネクタ識別子としてもよい。
【００３８】
「第二出力部」（０７０３）は、複数チャンネルの放送波信号と、コネクタ識別子と、を出力する機能を有する。なお、「放送波信号」は実施形態１において説明したので、ここでの説明は省略する。
【００３９】
「コネクタ識別子取得部」（０７０５）は、コネクタ装置の出力部からコネクタ識別子を取得する機能を有する。コネクタ識別子の取得は、無線ないし有線による通信を介して行ってもよいし、機械式のスウィッチをコネクタ装置側に設けて、コネクタ識別子取得部の側において、当該スウィッチの状態を読み込むことで行うように構成してもよい。また、
【００４０】
「第二保持部」（０７０６）は、コネクタ識別子に応じて選択すべきチャンネルリストを保持する機能を有する。第二保持部は、実施形態１の第一保持部と同様の機能を有するものであり、とくに、コネクタ識別子と関連付けられたチャンネルリストが保持されている。
【００４１】
図８は第二保持部の構成の一例を示す概念図である。例えば、コネクタ識別子が、クレードルを特定する「ＩＤ０２」である場合には、当該クレードルを用いたチャンネルスキャン結果に基づくチャンネルリスト「ｂ」が保持される。同様にコネクタ識別子が、外部アンテナを特定する「ＩＤ０３」である場合には、当該外部アンテナを用いたチャンネルスキャン結果に基づくチャンネルリスト「ｃ」が保持される。なお、コネクタ装置が接続されない場合や接続された装置がコネクタ識別子を有さない場合などにより、コネクタ識別子を取得しない場合に、便宜的にコネクタ識別子「ＩＤ０１」を付し、モバイル放送受信装置が備えるアンテナを用いたチャンネルスキャン結果に基づくチャンネルリスト「ａ」を「ＩＤ０１」に関連付けて、このような場合に応じたチャンネルリストとして保持していてもよい。
【００４２】
「第二選択部」（０７０７）は、実施形態１の第一選択部と同様の機能を有するものであり、とくに、取得したコネクタ識別子に応じて第二保持部からチャンネルリストを選択する機能を有する。
<実施形態２  ハードウェア構成>
【００４３】
本実施形態の放送受信システムは、実施形態１で説明したハードウェア構成に準じて実現することができる。よって、ここでの説明は省略する。
<実施形態２  処理の流れ>
【００４４】
図９は、本実施形態に係る放送受信システムにおけるモバイル放送受信装置の動作処理の流れの一例を示すフロー図である。まず、モバイル送受信装置の電源がオンとなっているかを判断する（Ｓ０９０１）。電源オンの場合には、コネクタ識別子が取得されたか判断する（Ｓ０９０２）。電源オフの場合には、電源オンの判断に戻る。ステップＳ０９０２の判断結果が、コネクタ識別子が取得されたとの場合には、コネクタ識別子に応じたチャンネルリストを選択し設定し（Ｓ０９０３）、ステップＳ０９０７に進む。コネクタ識別子が取得されない場合には、モバイル放送受信装置に備わるアンテナにてチャンネルスキャンを実行し（Ｓ０９０４）、スキャン結果によるチャンネルリストを設定し（Ｓ０９０５）、ステップＳ０９０７に進む。そして、ステップＳ０９０７にて設定されたチャンネルリストにて選局要求されたか判断する。ステップＳ０９０７において、選局要求されたとの判断結果の場合には、選択されたチャンネルリストにて選局を受付ける（Ｓ０９０８）。つづいて、視聴終了が要求されたかの判断（Ｓ０９０９）において、視聴終了が要求され、さらに、ステップＳ０９１０において電源がオフされると、電源オンを待機することになる（Ｓ０９０１）。なお、コネクタ識別子に応じたチャンネルリストの取得するための処理や、モバイル放送受信装置に備わるアンテナによるチャンネルリストを記録しておき、コネクタ識別子が取得されない場合のチャンネルリストとして選択するような処理については、実施形態１における処理の流れと同様に行うことができる。
<実施形態２  効果>
【００４５】
本実施形態により、複数のコネクタ装置がモバイル放送受信装置と接続され得る場合であっても、コネクタ識別子に応じたチャンネルリストが選択されることで、接続の度にチャンネルスキャンを要せずに各コネクタ装置との接続において最適なチャンネルリストにより視聴することができる。
<実施形態３>
<実施形態３  概要>
【００４６】
本実施形態の放送受信システムは、実施形態１や実施形態２においてモバイル放送受信装置においてチャンネルリストを保持していたところ、このチャンネルリストをコネクタ装置において保持することを特徴とするものである。このように構成することにより、異なるモバイル放送受信装置がコネクタ装置に接続された場合にも、最適なチャンネルリストが設定される。また、モバイル放送受信装置において、チャンネルリストを保持するために記憶領域を割く必要がなくなる効果も得られる。
<実施形態３  構成>
【００４７】
本実施形態に係る放送受信システムの機能ブロック図の一例を図１０に示す。「放送受信システム」（１０００）は、「コネクタ装置」（１００１）と「モバイル放送受信装置」（１００２）とからなる。コネクタ装置は、「チャンネルリスト保持部」（１００３）と、「第三出力部」（１００４）を有し、モバイル放送受信装置は、「第三接続部」（１００５）と、「リスト取得部」（１００６）と、「第三選局部」（１００７）とを有する。なお、「第三接続部」は実施形態１、２で説明した「第一接続部」、「第二接続部」と、「第三選局部」は実施形態１、２で説明した「第一選局部」、「第二選局部」と同様の機能を有する。よって、ここでの詳細な説明は省略する。
【００４８】
「コネクタ装置」（１００１）は、基本的に実施形態２で説明したコネクタ装置と同様の機能を有するものであり、本実施形態においては、とくに「チャンネルリスト保持部」と「第三出力部」を有する。
【００４９】
「チャンネルリスト保持部」（１００３）は、コネクタ装置により受信等することのできる複数チャンネルの放送波信号のチャンネルリストを保持する機能を有する。例えば、コネクタ装置が備えるアンテナによりチャンネルスキャンを実行した結果に基づいたチャンネルリストを保持してもよいし、コネクタ装置と接続されるモバイル放送受信装置によりチャンネルスキャンを実行した結果に基づくチャンネルリストを、当該モバイル送受信装置から取得して保持するように構成してもよい。チャンネルリスト保持部は、フラッシュメモリなどの不揮発性の記憶装置などにより実現することができる。
【００５０】
「第三出力部」（１００４）は、実施形態２で説明した「第二出力部」と同様の機能を有し、とくに上述のチャンネルリストを出力する機能を有する。
【００５１】
「リスト取得部」（１００６）は、コネクタ装置の出力部からチャンネルリストを取得する機能を有する。取得したチャンネルリストは所定の記憶領域に一時的に保持するよう構成してもよい。また、コネクタ装置との接続が解除された場合に、一時的に保持したチャンネルリストを消去するよう構成してもよい。このようにすることで、モバイル放送受信装置は、チャンネルリストを保持するための所定の記憶領域を必要最低減に抑えることができる。
<実施形態３  ハードウェア構成>
【００５２】
本実施形態の放送受信システムは、実施形態１などで説明したハードウェア構成に準じて実現することができる。よって、ここでの説明は省略する。
<実施形態３  処理の流れ>
【００５３】
図１１は、本実施形態に係る放送受信システムにおけるモバイル放送受信装置の動作処理の流れの一例を示すフロー図である。まず、モバイル送受信装置の電源がオンとなっているかを判断する（Ｓ１１０１）。電源オンの場合には、コネクタ装置からチャンネルリストを取得したか判断する（Ｓ１１０２）。電源オフの場合には、電源オンの判断に戻る。ステップＳ１１０２の判断結果が、チャンネルリストを取得したとの場合には、取得したチャンネルリストを選択し設定し（Ｓ１１０３）、ステップＳ１１０７に進む。チャンネルリストが取得されない場合には、モバイル放送受信装置に備わるアンテナにてチャンネルスキャンを実行し（Ｓ１１０４）、スキャン結果によるチャンネルリストを設定し（Ｓ１１０５）、ステップＳ１１０７に進む。そして、ステップＳ１１０７にて設定されたチャンネルリストにて選局要求されたか判断する。ステップＳ１１０７において、選局要求されたとの判断結果の場合には、設定されたチャンネルリストにて選局を受付ける（Ｓ１１０８）。つづいて、視聴終了が要求されたかの判断（Ｓ１１０９）において、視聴終了が要求され、さらに、ステップＳ１１１０において電源がオフされると、電源オンを待機することになる（Ｓ１１０１）。なお、モバイル放送受信装置に備わるアンテナによるチャンネルリストを記録しておき、コネクタ装置からチャンネルリストが取得されない場合のチャンネルリストとして選択するような処理については、実施形態１や２における処理の流れと同様に行うことができる。
<実施形態３  効果>
【００５４】
本実施形態により、モバイル放送受信装置において複数のチャンネルリストを保持することなく、接続されるコネクタ装置を用いた最適なチャンネルリストが自動的に設定される。
【符号の説明】
【００５５】
０２００  モバイル放送受信装置
０２０１  第一接続部
０２０２  接続検出部
０２０３  第一保持部
０２０４  第一選択部
０２０５  第一選局部
【図１】
2012089933.tif 000003
【図２】
2012089933.tif 000004
【図３（ａ）】
2012089933.tif 000005
【図３（ｂ）】
2012089933.tif 000006
【図３（ｃ）】
2012089933.tif 000007
【図４】
2012089933.tif 000008
【図５】
2012089933.tif 000009
【図６】
2012089933.tif 000010
【図７】
2012089933.tif 000011
【図８】
2012089933.tif 000012
【図９】
2012089933.tif 000013
【図１０】
2012089933.tif 000014
【図１１】
2012089933.tif 000015